(57)【特許請求の範囲】
【請求項１】
アルミ押出材の溝枠に対して同じくアルミ押出材の溝蓋をスナップイン装着する溝蓋スナップイン装置であって，上記溝蓋を，蓋基板とその裏面に支持条を一体に押出成形したアルミ押出材の溝蓋本体と，該溝蓋本体裏面の支持条を介して支持して溝蓋本体の裏面長手方向所定間隔に断続配置した短尺多数にして硬質合成樹脂押出材のスナップイン部材を備えてアルミ押出材と合成樹脂によって複合的に形成し，上記溝蓋のスナップイン装着を，該溝蓋のスナップイン部材を介して溝枠長手方向に断続的に行ってなり，上記溝蓋裏面の支持条を，蓋基板の裏面幅方向中間位置に起立した一対のＬ字突条による断面Ｔ字状をなす支持溝条とする一方，上記スナップイン部材を，該支持溝条にスライド嵌合したスライド基板と，該スライド基板の幅方向中間位置に起立し且つ幅方向外側に向けて屈曲して上記一対のＬ字突条の幅方向外側で蓋基板裏面における幅方向両端部との間にスナップイン係止一方の係止溝を形成する一対の屈曲突条とを備えて形成し，該スナップイン係止一方の係止溝を，上記溝枠に配置したスナップイン係止他方の係止突条にスナップイン係止することによって，上記溝枠長手方向断続的にスナップイン装着し，該一対の屈曲突条の係止溝の上方に，相互に内側に傾斜突出して上記係止溝と係止突条のスナップイン係止を誘導する傾斜ガイド片を配置するとともに該一対の屈曲突条の形状及び寸法を，上記蓋基板における一対のＬ字突条を被嵌し，その先細り傾斜の係止部が，該Ｌ字突条の側面を覆うように蓋基板上又はその近傍に至って，その傾斜面と蓋基板の幅方向両端部裏面との間に側方に向けた横向き一対のＶ字溝を形成して上記スナップイン一方の係止溝としてなることを特徴とする溝蓋スナップイン装置。
【請求項２】
上記蓋基板とスナップイン部材の接着，蓋基板に対するスナップイン部材近傍のカシメ加工等の固定手段によって，蓋基板に対するスナップイン部材の固定措置を施してなることを特徴とする請求項１に記載の溝蓋スナップイン装置。
【請求項３】
上記溝蓋に対するスナップイン部材の断続配置を，溝蓋の長手方向両端を非配置位置として，その長手方向両端を除いて行ってなることを特徴とする請求項１又は２に記載の溝蓋スナップイン装置。
【請求項４】
スナップイン部材を，長さ３〜１０ｃｍに形成してなることを特徴とする請求項１，２又は３に記載の溝蓋スナップイン装置。
【発明の詳細な説明】
【技術分野】
【０００１】
本発明は，アルミ押出材の溝枠にその溝を塞ぐように溝蓋をスナップイン装着するに用いる溝蓋スナップイン装置に関する。
【背景技術】
【０００２】
建材分野において，アルミ押出材の溝枠にスナップイン係止によって同じくアルミ押出材の部材をスナップイン装着することは広く用いられており，例えば下記特許文献は，断面Ｈ字状をなすアルミ押出材の支柱を介して，高さの異なるフェンスを固定するに際して，支柱の両側に配置した溝枠の溝内にフェンスの上下胴縁を挿入固定する一方，胴縁部分以外の溝枠にアルミ押出材の溝蓋を常法に従ってスナップイン装着して，該溝枠の溝をそれぞれ閉塞するものとされ，このとき溝蓋は，長尺基板の幅方向両端部に一対の脚条を起立するとともにその各先端にスナップイン一方の係止突条を一体成形したものとされ，上記溝枠の開口端に対向設置したスナップイン他方の突条を弾発的に乗り越えてその裏面側にそれぞれ引掛け係止するものとされる。
【０００３】
【特許文献１】特開２００７−１９１９８６号公報
【発明の開示】
【発明が解決しようとする課題】
【０００４】
このように溝枠に溝蓋をスナップイン装着した場合，スナップイン係止は，溝枠と溝蓋の長手方向全長になされるから，その装着時には作業に負担が掛るも，長期に亙って強固且つ安定した溝蓋の固定を行うことができ，例えば外力を受けて溝枠が変形したような例外的な場合は別としても，溝蓋の装着における好ましい固定手段をなすものとされる。
【０００５】
しかし乍ら，例えば外力が溝蓋に作用する可能性が少なく，溝蓋が外れない程度に固定すれば足りるケースや，メンテナンスや補修のために溝蓋を取外す必要が想定されるケースもあり，このような場合には，溝蓋のスナップイン装着の作業負担を減少して，装着を容易になし得るようにすることが好ましいし，特に溝蓋の取外しが想定される場合には，取外し作業を同じく容易になし得るようにするとともに取外しに伴って，溝蓋の反りを含めた変形を防止して再装着を容易になし得るようにすることが好ましい。
【０００６】
即ちスナップイン装着した溝蓋を溝枠から取外すには，マイナスドライバー等の先細り具の先端を，その長手方向端部から差し込んで溝蓋を引き剥すようにしてスナップイン係止を解除する手法が一般に取られるが，上記常法に従ってスナップイン装着する溝蓋にあっては，その係止突条を，溝枠開口端のスナップイン他方の突条を弾発的に乗り越えて，これに引掛け係止するものとされ，従ってその取外しは，長尺基板を外側に引寄せて，係止突条のスナップイン係止を引き剥がすように行うため，長尺基板に反りを生じ，また一対の脚条が幅方向内側に湾曲するといったアルミ押出材の塑性変形を受ける可能性を避けられず，該塑性変形を受けた溝蓋を再装着しても，取外し前のように納まらないという問題を招くに至る。
【０００７】
本発明はかかる事情に鑑みてなされたもので，その解決課題とするところは，装着を容易になし得るようにするとともに，必要に応じて取外しとその再装着を容易になし得るようにし且つ再装着に際して装着当初と同様な良好な納まりを再現できるようにしたスナップイン装着装置を提供するにある。
【課題を解決するための手段】
【０００８】
上記課題に沿って本発明は，溝蓋をアルミ押出材の溝蓋本体と，該溝蓋本体の裏面に長手方向断続的に配置した短尺多数にして硬質合成樹脂押出材のスナップイン部材とによる複合材として形成し，該溝蓋を溝枠にスナップイン装着して，溝枠に対する溝蓋の装着を断続的なスナップイン係止によって行うものとして，アルミ押出材の外観を呈しつつスナップイン装着を，溝蓋長手方向に非連続で部分的なスナップイン部材における硬質合成樹脂の弾発性を活用する一方，溝蓋における溝蓋本体に対する該スナップイン部材の支持を支持脚条に支持したものとし，その離脱方向の装着強度を可及的高度に確保して，装着，取外しの容易性を確保するとともに取外しによるアルミ押出材の溝蓋本体及びスナップイン部材の塑性変形の可能性を可及的に解消するものとし，また，上記溝蓋の支持条を断面Ｔ字状の支持溝とし，この支持溝にスナップイン部材のスライド基板をスライド嵌合してその支持を行って，上記離脱方向に対する装着強度を高度に確保するとともにスナップイン部材のスライド基板に配置した幅方向外側に向けた屈曲突条によって該スライド基板の該両端部との間に係止溝を形成するとともにこの係止溝をスナップイン係止一方の係止溝とし，該係止溝を，溝枠に形成した係止突条に係止することによって，上記離脱方向に装着強度を確保しつつ屈曲突条の弾発性を活用して，そのスナップイン装着を行うものとして，スナップイン部材の溝蓋本体に対する確実な支持状態で，溝枠に対する溝蓋の可及的に容易な装着と取外しをなし得るものとし，更に，溝蓋のスナップイン装着に際して係止溝と溝枠の係止突条のスナップイン係止を誘導して確実な係止をなし得るものとするとともにスナップイン部材の変形による係止溝の開き止めを行って，スナップイン装着の安定した維持をなし得るようにしたものであって，即ち請求項１に記載の発明を，アルミ押出材の溝枠に対して同じくアルミ押出材の溝蓋をスナップイン装着する溝蓋スナップイン装置であって，上記溝蓋を，蓋基板とその裏面に支持条を一体に押出成形したアルミ押出材の溝蓋本体と，該溝蓋本体裏面の支持条を介して支持して溝蓋本体の裏面長手方向所定間隔に断続配置した短尺多数にして硬質合成樹脂押出材のスナップイン部材を備えてアルミ押出材と合成樹脂によって複合的に形成し，上記溝蓋のスナップイン装着を，該溝蓋のスナップイン部材を介して溝枠長手方向に断続的に行ってなり，上記溝蓋裏面の支持条を，蓋基板の裏面幅方向中間位置に起立した一対のＬ字突条による断面Ｔ字状をなす支持溝条とする一方，上記スナップイン部材を，該支持溝条にスライド嵌合したスライド基板と，該スライド基板の幅方向中間位置に起立し且つ幅方向外側に向けて屈曲して上記一対のＬ字突条の幅方向外側で蓋基板裏面における幅方向両端部との間にスナップイン係止一方の係止溝を形成する一対の屈曲突条とを備えて形成し，該スナップイン係止一方の係止溝を，上記溝枠に配置したスナップイン係止他方の係止突条にスナップイン係止することによって，上記溝枠長手方向断続的にスナップイン装着し，該一対の屈曲突条の係止溝の上方に，相互に内側に傾斜突出して上記係止溝と係止突条のスナップイン係止を誘導する傾斜ガイド片を配置するとともに該一対の屈曲突条の形状及び寸法を，上記蓋基板における一対のＬ字突条を被嵌し，その先細り傾斜の係止部が，該Ｌ字突条の側面を覆うように蓋基板上又はその近傍に至って，その傾斜面と蓋基板の幅方向両端部裏面との間に側方に向けた横向き一対のＶ字溝を形成して上記スナップイン一方の係止溝としてなることを特徴とする溝蓋スナップイン装置としたものである。
【０００９】
請求項２に記載の発明は，上記に加えて，上記蓋基板に対するスナップイン部材の長手方向の移動を防止して，該スナップイン部材の上記離脱方向に対する装着強度の確保を定位置で行って，常に安定且つ確実なスナップイン装着を実現し得るものとするように，これを，上記蓋基板とスナップイン部材の接着，蓋基板に対するスナップイン部材近傍のカシメ加工等の固定手段によって，蓋基板に対するスナップイン部材の固定措置を施してなることを特徴とする請求項１に記載の溝蓋スナップイン装置としたものである。
【００１０】
請求項３に記載の発明は，同じく上記に加えて，上記溝蓋の取外しによるメンテナンスや補修の可能性が想定されるときに，該溝蓋の取外しを可及的容易且つ確実になし得るものとするように，これを，上記溝蓋に対するスナップイン部材の断続配置を，溝蓋の長手方向両端を非配置位置として，その長手方向両端を除いて行ってなることを特徴とする請求項１又は２に記載の溝蓋スナップイン装置としたものである。
【００１１】
請求項４に記載の発明は，同じく上記に加えて，上記スナップイン部材の長さが３ｃｍを下回ると，溝蓋の安定した装着のために配置ピッチを小さくする必要が生じて，溝蓋の形成が繁雑化することになり易く，１０ｃｍを上回ると，そのピッチを減少することができるが，異長複数の溝蓋を必要とするとき，長さに応じて配置ピッチの変更を招いて，同じく溝蓋の形成が繁雑化する傾向を生じ易く，従って配置ピッチを考慮して，スナップイン部材の長さを好ましいものとするように，これを，スナップイン部材を，長さ３〜１０ｃｍに形成してなることを特徴とする請求項１，２又は３に記載の溝蓋スナップイン装置としたものである。
【００１２】
本発明は，これらをそれぞれ発明の要旨として上記課題解決の手段としたものである。
【発明の効果】
【００１３】
本発明は以上のとおりに構成したから，請求項１に記載の発明は，溝蓋をアルミ押出材の溝蓋本体と，該溝蓋本体の裏面に長手方向断続的に配置した短尺多数にして硬質合成樹脂押出材のスナップイン部材とによる複合材として形成し，該溝蓋を溝枠にスナップイン装着して，溝枠に対する溝蓋の装着を断続的なスナップイン係止によって行うものとして，アルミ押出材の外観を呈しつつスナップイン装着を，溝蓋長手方向に非連続で部分的なスナップイン部材における硬質合成樹脂の弾発性を活用する一方，溝蓋における溝蓋本体に対する該スナップイン部材の支持を支持脚条に支持したものとし，その離脱方向の装着強度を可及的高度に確保して，装着，取外しの容易性を確保するとともに取外しによるアルミ押出材の溝蓋本体及びスナップイン部材の塑性変形の可能性を可及的に解消するものとし，また，上記溝蓋の支持条を断面Ｔ字状の支持溝とし，この支持溝にスナップイン部材のスライド基板をスライド嵌合してその支持を行って，上記離脱方向に対する装着強度を高度に確保するとともにスナップイン部材のスライド基板に配置した幅方向外側に向けた屈曲突条によって該スライド基板の該両端部との間に係止溝を形成するとともにこの係止溝をスナップイン係止一方の係止溝とし，該係止溝を，溝枠に形成した係止突条に係止することによって，上記離脱方向に装着強度を確保しつつ屈曲突条の弾発性を活用して，そのスナップイン装着を行うものとして，スナップイン部材の溝蓋本体に対する確実な支持状態で，溝枠に対する溝蓋の可及的に容易な装着と取外しをなし得るものとし，更に，溝蓋のスナップイン装着に際して係止溝と溝枠の係止突条のスナップイン係止を誘導して確実な係止をなし得るものとするとともにスナップイン部材の変形による係止溝の開き止めを行って，スナップイン装着の安定した維持をなし得るようにしたスナップイン装着装置を提供することができる。
【００１４】
請求項２に記載の発明は，上記に加えて，上記溝蓋の支持条を断面Ｔ字状の支持溝とし，この支持溝にスナップイン部材のスライド基板をスライド嵌合してその支持を行って，上記離脱方向に対する装着強度を高度に確保するとともにスナップイン部材のスライド基板に配置した幅方向外側に向けた屈曲突条によって該スライド基板の該両端部との間に係止溝を形成するとともにこの係止溝をスナップイン係止一方の係止溝とし，該係止溝を，溝枠に形成した係止突条に係止することによって，上記離脱方向に装着強度を確保しつつ屈曲突条の弾発性を活用して，そのスナップイン装着を行うものとして，スナップイン部材の溝蓋本体に対する確実な支持状態で，溝枠に対する溝蓋の可及的に容易な装着と取外しをなし得るものとすることができる。
【００１５】
請求項３に記載の発明は，同じく上記に加えて，上記溝蓋のスナップイン装着に際して係止溝と溝枠の係止突条のスナップイン係止を誘導して確実な係止をなし得るものとするとともにスナップイン部材の変形による係止溝の開き止めを行って，スナップイン装着の安定した維持をなし得るものとすることができる。
【００１６】
請求項４に記載の発明は，同じく上記に加えて，上記蓋基板に対するスナップイン部材の長手方向の移動を防止して，該スナップイン部材の上記離脱方向に対する装着強度の確保を定位置で行って，常に安定且つ確実なスナップイン装着を実現し得るものとすることができる。
【発明を実施するための最良の形態】
【００１７】
以下，本発明を更に具体的に説明すれば，図面は，サンルーム，カーポート等のアルミ製の構築物の屋根フレームを形成するに用いたアルミ押出材の垂木１に対して，その下面にアルミ押出材の垂木化粧材４を設置するについて，該垂木化粧材４に形成した溝枠４３にアルミ押出材の溝蓋５をスナップイン装着して，垂木化粧材４を垂木１に固定したネジ４５の露出を防止するようにした例を示す。
【００１８】
本例にあって垂木１は，図示省略の桁又は桁と建物側の垂木受け間に，例えばブラケットを介して架設して配置した長尺にして，基板１１上面の幅方向両端に上向きの水密材１２を，幅方向中央に上向き開口した受溝を形成する一対の起立条１３を，基板１１下面の幅方向両端側中間位置に一対の垂下条１４を，該一対の垂下条１４下端にＬ字状をなすように厚肉のネジ受条１５と基板１１にＬ字状をなすように突出したＬ字カバー１６を備えたものとしてある。
【００１９】
このとき垂木１の上記幅方向両端，本例にあっては上記該両端の水密材１２に，幅方向両側からの屋根パネル３の端部を載置するとともに垂木カバー２を垂木１に配置固定して，該屋根パネル３の幅方向端部を垂木１と垂木カバー２によって挟持固定してあり，該屋根パネル３端部の挟持固定は，垂木カバー２の幅方向中央に下向きに突出した一対のネジ受条を上記一対の起立条１３間の受溝に嵌合し，該ネジ受条のネジ溝に垂木１の基板１１側から上向きにネジ２１を螺入し，垂木カバー２を該基板１１側に引寄せ固定することによって行ってある。
【００２０】
一方，垂木化粧材４は，該垂木１に固定して垂木１をその下方で閉塞化粧するようにこれに固定配置した，同じく長尺にして，垂木の一対の垂下条１４間の空間を塞ぐ化粧基板４１上面の幅方向両端に，本例にあって垂木１間に配置の日除け両端のローラーを案内する，例えば断面Ｃ字状のガイドレール４２を，該ガイドレール４２の上側の突片の中間位置の上方にそれぞれ上記スナップイン装着用の溝枠４３を備えたものとしてあり，該溝枠４３は，上記突片と，該突片の中間位置に起立したＬ字片とによって断面Ｃ字状にして該垂木化粧材４を垂木１に固定するネジ４５を収納するネジ収納溝を形成するとともに該溝枠４３両側の突出方向先端に対向方向に向けて一対の係止突条４４を備えたものとし，該一対の係止突条４４を，上記溝蓋５のスナップイン一方の係止溝７４とスナップイン装着を行うスナップイン他方の係止条をなすものとしてある。
【００２１】
該垂木化粧材４は，その化粧基板４１によって垂木１における一対の垂下条１４の下面を閉塞するように，垂木１のネジ受条１５に対して溝枠４３から横向きにネジ４５を螺入して，垂木１に固定してあり，該固定状態で垂木化粧材４の溝枠４３に上記溝蓋５をスナップイン装着することによって，該溝枠４３を閉塞し，そのネジ受条１５に対するネジ４５の露出を防止してある。
【００２２】
従って，本例の屋根フレームにあって，例えば損傷した屋根パネル３の交換等の補修やメンテナンスを行うためには，垂木化粧材４の取外し，垂木１の基板１１側からのネジ２１の固定解除，垂木カバー２の取り外しを行う必要があり，このとき垂木化粧材４の取外しには，その前工程として溝蓋５の取り外しと溝枠４３の横向きのネジ４５の固定解除を行う必要が生じることになるところ，該溝蓋５は，その装着と，必要に応じた取外し及びその再装着を容易になし得るようにし且つ再装着に際して装着当初と同様な良好な納まりを再現できるものとし，該補修やメンテナンスの取外しによる塑性変形やこれによる再装着の納まり不良を解消し得るようにしてある。
【００２３】
即ち，上記溝蓋５は，これを，蓋基板６１とその裏面に支持条６２を一体に押出成形したアルミ押出材の溝蓋本体６と，該溝蓋本体６裏面の支持条６２を介して支持して溝蓋本体６の裏面長手方向所定間隔に断続配置した短尺多数にして硬質合成樹脂押出材のスナップイン部材７を備えてアルミ押出材と合成樹脂によって複合的に形成し，上記垂木化粧材４の溝枠４３に対する溝蓋５のスナップイン装着を，該溝蓋５のスナップイン部材７を介して溝枠４３長手方向に断続的に行ったものとしてある。
【００２４】
上記溝蓋本体６の支持条６２は，これを，蓋基板６１の裏面幅方向中間位置に起立した一対のＬ字突条による断面Ｔ字状をなす支持溝条とする一方，上記スナップイン部材７を，該支持溝条にスライド嵌合したスライド基板７１と，該スライド基板７１の幅方向中間位置に起立し且つ幅方向外側に向けて屈曲して上記一対のＬ字突条の幅方向外側で蓋基板６１裏面における幅方向両端部との間にスナップイン係止一方の係止溝７４を形成する一対の屈曲突条７２とを備えて形成し，該スナップイン係止一方の係止溝７４を，上記溝枠４３に配置したスナップイン係止他方の係止突条４４にスナップイン係止することによって，上記溝枠４３長手方向断続的にスナップイン装着したものとしてあり，このとき，上記スナップイン部材７における一対の屈曲突条７２の係止溝７４上方に，相互に内側に傾斜突出して係止溝７４と係止突条４４のスナップイン係止を誘導して確実な係止を行うようにしてあり，本例にあって，スナップイン部材７の変形による係止溝７４の開き止めの補強を行って，スナップイン装着の安定した維持をなし得るものとするように逆ハ字状一対の傾斜ガイド片７３を配置したものとしてあり，このとき上記溝蓋５に対するスナップイン部材７の断続配置は，これを，溝蓋５の長手方向両端を非配置位置として，その長手方向両端を除いて行ったものとしてある。
【００２５】
このときスナップイン部材７の上記屈曲突条７２は，その形状及び寸法を，蓋基板６１における一対のＬ字突条を被嵌し，その先細り傾斜の係止部が，該Ｌ字突条の側面を覆うように蓋基板６１上又はその近傍に至って，その傾斜面と蓋基板６１の幅方向両端部裏面との間に側方に向けた横向き一対のＶ字溝を形成するようにし，該横向き一対のＶ字溝を，上記溝枠４３のスナップイン他方の係止条４４とスナップイン装着を行うスナップイン係止一方の係止溝７４としてある。即ち，これを，屈曲突条７２の形状及び寸法との関係で示せば，本例の溝蓋５における溝蓋本体６の蓋基板６１は，上記溝枠４３と略同長同幅にして，例えば厚さを２ｍｍとした厚肉にして裏面に一対のＬ字突条を配置して上記断面Ｔ字状の支持溝，即ち支持条６２を形成したアルミ押出材に切断加工を施した長尺プレート材によるものとし，一方スナップイン部材７は，上記支持条６２に嵌合するスライド基板７１の裏面に，Ｌ字状に起立しその自由端をスライド基板側に折り返し，その先端を先細り傾斜した係止部を有する，それぞれ断面Ｃ字状をなす屈曲突条７２と，該屈曲突条７２の係止部をその傾斜のまま上方に延長するように突出した上記傾斜ガイド片７３を形成した，例えばＡＳＡ，ＡＥＳ，ＰＣ，ＰＯＭ，ＰＡ等の適宜に選定した硬質樹脂押出材の長尺バー材に切断加工を施して，例えば幅を１〜１．５ｃｍ，本例にあっては１．２ｃｍ，高さを５〜６ｍｍ，本例にあっては５．８ｍｍ，長さを３〜１０ｃｍ，本例にあっては５，６ｃｍに形成した細幅バー状のものとしてある。
【００２６】
スナップイン部材７は，これを，溝蓋５の長手方向両端を非配置位置とするように，溝蓋本体６の長手方向両端に，例えば１０〜１５ｃｍ程度の長さ分を除いて，その内側に断続配置してあり，該長手方向両端を除く断続配置は，該スナップイン部材７における上記屈曲突条７２を起立したスライド基板７１を，蓋基板６１の支持条６２に，その長手方向端部からスライド装着して，例えば蓋基板６１の４０〜６０ｃｍ，本例にあっては５０ｃｍに一つのスナップイン部材７が位置するようにピッチを設定して配置することによって行ってある。
【００２７】
このときスナップイン部材７は，蓋基板６１における位置を固定するように，蓋基板６１に対するスナップイン部材７の固定措置を施したものとしてあり，該固定措置は，これを，上記蓋基板６１とスナップイン部材７の接着，蓋基板６１に対するスナップイン部材７端部近傍のカシメ加工等の固定手段７５によって行ってあり，本例にあっては，例えば上記断続配置したスナップイン部材７の長手方向両端において，蓋基板６１にその上面側からスポット状のカシメ加工を施して，該スナップイン部材７の移動を阻止するようにその固定を行ったものとしてある。
【００２８】
従って垂木１乃至垂木化粧材４の長さを，例えば１．８ｍ，２．４ｍ等の基準寸法のものとしたとき，これより僅少差分短く形成した溝蓋５は，その蓋基板６１の裏面に，その長手方向両端に１０〜１５ｃｍ程度の長さをそのままとして，５，６ｃｍ程度の長さのスナップイン部材７を５０ｃｍピッチで断続配置してあり，このように溝蓋本体６にスナップイン部材７を断続配置した溝蓋５は，その長手方向に該スナップイン部材７の配置位置における幅方向両端に，上記溝蓋５のスナップイン他方の係止条４４に対応するスナップイン一方の係止溝７４を形成具備したものとすることができる。
【００２９】
溝蓋５は，そのスナップイン部材７の逆ハ字状一対の傾斜ガイド片７３を上記垂木化粧材４の溝枠４３に挿入するように配置し，その蓋基板６１をその表面側から強圧して，その一対の屈曲突条７２を溝枠４３のネジ収納溝内に押込むことにより，上記横向き一対のＶ字溝によるスナップイン係止一方の係止溝７４に，垂木化粧材４の一対の係止突条４４の先端を弾発的に係止して，その垂木化粧材４の長手方向に断続的なスナップイン装着を施して，該ネジ収納溝を形成する溝枠４３を閉塞したものとしてある。
【００３０】
従って，該垂木化粧材４は，その化粧基板４１によって垂木１における一対の垂下条１４の下面を閉塞するように，上記垂木１のネジ受条１５に対して溝枠４３から横向きにネジ４５を螺入して，垂木１に固定してあるが，該固定状態で垂木化粧材４の溝枠４３に上記溝蓋５をスナップイン装着することによって，該溝枠４３を密封するように閉塞して，そのネジ受条１５に対するネジ４５の露出を防止することができる。
【００３１】
これによって垂木化粧材４の溝枠４３は，アルミ押出材の溝蓋５によって閉塞された外観を呈するが，該溝枠４３と溝蓋５は，上記５０ｃｍピッチで５，６ｃｍの長さ毎のスナップイン係止を行って，その装着を行うため，溝蓋全長のスナップイン係止に較べて，装着が容易であるとともに，スナップイン係止がなされていない溝蓋５の長手方向端部からマイナスドライバー等を差し込めば，該端部を掴んで溝蓋５を引き剥がすようにすることによって，該溝蓋５は容易且つ塑性変形を殆ど生じることなく，その取外しを行うことができ，また塑性変形を殆ど生じないため，再装着時の良好な納まりを確保することができる。
【００３２】
図中６３は，スナップイン装着した溝蓋５が，溝枠４３の先端，即ちガイドレール４２の上側の突片の先端と上記Ｌ字カバー１６と面一になるように溝蓋本体６における蓋基板６１幅方向裏面両端に配置した段部を示す。
【００３３】
図示した例は以上のとおりとしたが，スナップイン部材の屈曲突条を，断面Ｔ字状にしてその両側の自由端にスライド基板側に折り返した先端を先細り傾斜した係止部を配置した，スライド基板に単一に起立したものとして形成することを含めて，本発明の実施に当って，溝枠，溝蓋，溝蓋本体，蓋基板，支持脚条，スナップイン部材，支持条，必要に応じて用いる支持溝条，スライド基板，屈曲突条，傾斜ガイド片，固定手段等の各具体的形状，構造，材質，これらの関係，これらに対する付加等は，上記発明の要旨に反しない限り様々な形態のものとすることができる。
【図面の簡単な説明】
【００３４】
【図１】溝枠を溝蓋で閉塞した例を示す縦断面図である。
【図２】溝蓋の溝蓋本体とスナップイン部材の関係を示す斜視図である。
【図３】溝蓋の縦断面図である。
【図４】溝蓋本体の縦断面図である。
【図５】スナップイン部材の縦断面図である。
【図６】溝蓋の中間省略の側面図である。
【図７】溝蓋の中間省略の背面図である。
【符号の説明】
【００３５】
１  垂木
１１  基板
１２  水密材
１３  起立条
１４  垂下条
１５  ネジ受条
１６  Ｌ字カバー
２  垂木カバー
２１  ネジ
３  屋根パネル
４  垂木化粧材
４１  化粧基板
４２  ガイドレール
４３  溝枠
４４  係止突条
４５  ネジ
５  溝蓋
６  溝蓋本体
６１  蓋基板
６２  支持条
６３  段部
７  スナップイン部材
７１  スライド基板
７２  屈曲突条
７３  傾斜ガイド片
７４  係止溝
７５  固定手段
【図１】
0005160864.tif 000002
【図２】
0005160864.tif 000003
【図３】
0005160864.tif 000004
【図４】
0005160864.tif 000005
【図５】
0005160864.tif 000006
【図６】
0005160864.tif 000007
【図７】
0005160864.tif 000008